(57)【要約】【課題】光ピックアップの送り方向のいずれかであっても、初期負荷を均一化して通常動作の円滑化を図る。【解決手段】光ピックアップ送り装置には、光ピックアップの一側方で当該光ピックアップの移動方向に沿って延在するように配置され、周面に螺旋状溝を有するリードスクリューと、リードスクリューを回転させるモータと、光ピックアップの一側部に配置され、リードスクリューの螺旋状溝に係合するラックとが備えられている。ラックには、光ピックアップの一側部に取り付けられる取付部と、螺旋状溝に噛合する噛合部と、取付部に一体的に形成され、噛合部がリードスクリューの中心軸に直交する方向に沿ってスライド自在となるように、リードスクリューの中心軸と同一平面上で前記噛合部を支持する支持部と、噛合部を前記リードスクリューに押しつけるように、噛合部に対して噛合部のスライド方向に沿う力を付勢する付勢部とが備えられている。【選択図】図１
2008310919.tif 000002
【特許請求の範囲】
【請求項１】
光ピックアップの一側方で当該光ピックアップの移動方向に沿って延在するように配置され、周面に螺旋状溝を有するリードスクリューと、
前記リードスクリューを回転させるモータと、
前記光ピックアップの一側部に配置され、前記リードスクリューの螺旋状溝に係合するラックとを備え、
前記ラックは、
前記光ピックアップの一側部に取り付けられる取付部と、
前記リードスクリューの螺旋状溝に噛合する噛合部と、
前記取付部に一体的に形成され、前記噛合部が前記リードスクリューの中心軸に直交する方向に沿ってスライド自在となるように、前記リードスクリューの中心軸と同一平面上で前記噛合部を支持する支持部と、
前記噛合部を前記リードスクリューに押しつけるように、前記噛合部に対して前記噛合部のスライド方向に沿う力を付勢する付勢部とを備えることを特徴とする光ピックアップ送り装置。
【請求項２】
請求項１記載の光ピックアップ送り装置において、
前記支持部は、前記噛合部を回動自在に支持していることを特徴とする光ピックアップ送り装置。
【請求項３】
請求項１又は２記載の光ピックアップ送り装置において、
前記噛合部のスライド範囲は、前記螺旋状溝の深さよりも狭く設定されていることを特徴とする光ピックアップ送り装置。
【請求項４】
請求項１又は２記載の光ピックアップ送り装置において、
前記ラックは、前記噛合部が前記螺旋状溝から外れることを防止する防止リブを備えていることを特徴とする光ピックアップ送り装置。
【発明の詳細な説明】
【技術分野】
【０００１】
本発明は、光ピックアップ送り装置に関する。
【背景技術】
【０００２】
一般的に光ディスクドライブには、光ピックアップを光ディスクの半径方向に移動させる光ピックアップ送り装置が搭載されている。従来の光ピックアップ送り装置では、光ピックアップに取り付けたラックの歯をリードスクリューの溝に噛み合わせ、リードスクリューをモータによって回転させることによって、光ピックアップを移動させるようになっていた（例えば特許文献１参照）。
【０００３】
具体的に説明すると、図６に示すように光ピックアップ送り装置１００には、ベース１０１と、ベース１０１上に配置されたスピンドルモータ１０２と、スピンドルモータ１０２のモータ軸に光ディスク（図示省略）を載置しながら一体に回転するターンテーブル１０３とが設けられている。
【０００４】
また、ベース１０１上には、光ディスクに対して記録及び／又は再生するための光ピックアップ１０４と、光ピックアップ１０４を光ディスクの半径方向に案内する一対のガイドシャフト１０５，１０６と、ガイドシャフト１０５，１０６により支持された光ピックアップ１０４を半径方向に送るリードスクリュー１０７と、リードスクリュー１０７を回転させるモータＭとが設けられている。
【０００５】
そして、光ピックアップ１０４におけるリードスクリュー１０７側の一端部には、当該リードスクリュー１０７に係合するラック１０８が搭載されている。図７はリードスクリュー１０７とラック１０８の係合状態を示す斜視図であり、図８は側面図である。図７及び図８に示すように、ラック１０８には、光ピックアップ１０４に取り付けられる取付部１１０と、取付部１１０の先端から先方に向けて下がるように傾斜する傾斜部１１１と、傾斜部１１１の先端から上方に向けて延出する延出部１１２と、延出部１１２により保持されてリードスクリュー１０７の螺旋状溝１１３と噛合する噛合部１１４と、が設けられており、これらが一体的に形成されている。
【０００６】
また、取付部１１０と延出部１１２との間には、延出部１１２を介して噛合部１１４に所定の力を付勢するための圧縮バネ１１５が介在している。ここで、光ピックアップ１０４を高速で送る際には、モータＭの回転速度を上げる必要があるが、この場合、ラック１０８の噛合部１１４がリードスクリュー１０７の螺旋状溝１１３から外れる、いわゆる歯飛びを起こしやすくなっている。これを防ぐべく、前述の圧縮バネ１１５の付勢力によって、ラック１０８の噛合部１１４をリードスクリュー１０７に押しつけている。
【特許文献１】特開２００６−２６６４６９号公報
【発明の開示】
【発明が解決しようとする課題】
【０００７】
ところで、上述の光ピックアップ送り装置１００であると、リードスクリュー１０７の回転に基づくモーメントが延出部１１２と傾斜部１１１との連結部分（支点Ｐ１）に作用することになるが、上述した位置に支点Ｐ１があることでリードスクリュー１０７の回転方向により、モーメントに差が出ることになる。例えば、時計回りにリードスクリュー１０７が反時計回りに回転した場合（図８の矢印Ｙ１）、リードスクリュー１０７の螺旋状溝１１３と、ラック１０８の噛合部１１４とが接する部分（作用点Ｐ２）に、図の左上に向けて力Ｆ１が伝わり、これにより支点Ｐ１にモーメントＭ１がかかる。一方、時計回りにリードスクリュー１０７が反時計回りに回転した場合（図８の矢印Ｙ２）、作用点Ｐ２には図の左下に向けて力Ｆ２が伝わり、これにより支点Ｐ１にモーメントＭ２がかかる。モーメントＭ１，Ｍ２は大きさが異なるために、リードスクリュー１０７の回転方向、つまり光ピックアップ１０４の送り方向が異なると、ラック１０８の撓み量も異なることになる。
【０００８】
ここで、前述した圧縮バネ１１５による付勢力は、歯飛びを起こさない程度の力に設定する必要があるが、送り方向によってラック１０８にかかる力Ｆ１，Ｆ２や、モーメントＭ１，Ｍ２が異なってしまうと、大きな値に合わせて付勢力を設定しておかねばならない。このため、歯飛びが生じにくい方向（力やモーメントが小さな値の方向）からすると余分に付勢力が付与されることになる。この余分な付勢力は、光ピックアップ１０４の動作に余分な初期負荷として作用してしまい、通常動作を妨げるおそれがあった。
【０００９】
本発明の課題は、光ピックアップの送り方向のいずれかであっても、初期負荷を均一化して通常動作の円滑化を図ることである。
【課題を解決するための手段】
【００１０】
請求項１記載の発明に係る光ピックアップ送り装置は、
光ピックアップの一側方で当該光ピックアップの移動方向に沿って延在するように配置され、周面に螺旋状溝を有するリードスクリューと、
前記リードスクリューを回転させるモータと、
前記光ピックアップの一側部に配置され、前記リードスクリューの螺旋状溝に係合するラックとを備え、
前記ラックは、
前記光ピックアップの一側部に取り付けられる取付部と、
前記リードスクリューの螺旋状溝に噛合する噛合部と、
前記取付部に一体的に形成され、前記噛合部が前記リードスクリューの中心軸に直交する方向に沿ってスライド自在となるように、前記リードスクリューの中心軸と同一平面上で前記噛合部を支持する支持部と、
前記噛合部を前記リードスクリューに押しつけるように、前記噛合部に対して前記噛合部のスライド方向に沿う力を付勢する付勢部とを備えることを特徴としている。
【００１１】
請求項２記載の発明は、請求項１記載の光ピックアップ送り装置において、
前記支持部は、前記噛合部を回動自在に支持していることを特徴としている。
【００１２】
請求項３記載の発明は、請求項１又は２記載の光ピックアップ送り装置において、
前記噛合部のスライド範囲は、前記螺旋状溝の深さよりも狭く設定されていることを特徴としている。
【００１３】
請求項４記載の発明は、請求項１又は２記載の光ピックアップ送り装置において、
前記ラックは、前記噛合部が前記螺旋状溝から外れることを防止する防止リブを備えていることを特徴としている。
【発明の効果】
【００１４】
本発明によれば、支持部がリードスクリューの中心軸と同一平面上で噛合部を支持しているので、リードスクリューの回転方向が異なったとしても、回転による力は均一に噛合部（支点）に作用することになる。そして、噛合部はスライド自在に支持されているが、付勢部によってリードスクリューに押しつけられており、リードスクリューの回転による力が加わったとしても、付勢部の付勢力により歯飛びが生じにくくなっている。ここで、上述したようにリードスクリューの回転方向が異なっていても、回転による力は均一に噛合部に作用しているため、付勢部による付勢力が余分に加わることを抑制することができる。したがって、初期負荷を均一化して通常動作の円滑化を実現することが可能となる。
【発明を実施するための最良の形態】
【００１５】
以下、図を参照にして本発明の実施形態について説明する。図１は本実施形態に係る光ピックアップ送り装置の概略構成を示す側面図である。この図１に示すように、光ピックアップ送り装置１には、光ピックアップ２の一側方で当該光ピックアップ２の移動方向に沿って延在するように配置され、周面に螺旋状溝３を有するリードスクリュー４と、リードスクリュー４を回転させるモータ５と、光ピックアップ２の一側部に配置され、リードスクリュー４の螺旋状溝３に係合するラック６とが備えられている。
【００１６】
ラック６には、光ピックアップ２におけるリードスクリュー４側の一側部に取り付けられる取付部６１と、リードスクリュー４の螺旋状溝３に噛合する噛合部６２と、取付部６１に一体的に形成され、噛合部６２を支持する支持部６３と、噛合部６２をリードスクリュー４に押しつける付勢部６４とが備えられている。
【００１７】
噛合部６２には、螺旋状溝３に噛合する歯部６５と、歯部６５の両端部から突出する一対の軸部６６とが形成されている。
【００１８】
支持部６３には、噛合部６２の一対の軸部６６のそれぞれに係合するため、取付部６１からリードスクリュー４に向けて延出する一対の延出板６７が設けられている。この延出板６７の先端部には、軸部６６が係合される切欠６８が形成されている。切欠６８は、リードスクリュー４の中心軸に直交する方向に沿って延在しており、軸部６６が外れないようにその先端部分が狭くなっている。噛合部６２の軸部６６が切欠６８内に係合すると、リードスクリュー４の中心軸と同一平面Ｈ上で、噛合部６２が回動自在に支持されることになる。支持状態であると、前述したように切欠６８がリードスクリュー４の中心軸に直交する方向に沿って延在しているために、噛合部６２は同一方向に沿ってスライド自在となる。そして、切欠６８の延在方向における長さは、付勢部６４の付勢力以上の力が加わると、噛合部６２が歯飛びする長さに設定されている。
【００１９】
付勢部６４は、例えば圧縮バネであり、噛合部６２をリードスクリュー４に向けて押しつけるように取付部６１と噛合部６２との間に配置されている。付勢部６４は、伸縮方向が噛合部６２のスライド方向（切欠６８の延在方向）に沿うように配置されているので、スライド方向に沿う力を噛合部６２に付勢することになる。
【００２０】
次に、本実施形態の作用について説明する。
まず、図２に示すようにモータ５によりリードスクリュー４が反時計回りに回転すると（矢印Ｙ３）、リードスクリュー４と噛合部６２とが接する部分（作用点Ｐ３）に図における右上に向けて力Ｆ３が伝わるので、噛合部６２の軸部６６の中心（支点Ｐ４）には、モーメントＭ３（図３参照：Ｍ３＝（Ｆ３の垂直方向の分力Ｆ４）×（作用点Ｐ３と支点Ｐ４との間隔Ｌ））がかかる。このモーメントＭ３によって、噛合部６２は軸部６６を中心に、上部がリードスクリュー４から離間するように傾くことになる。そして、噛合部６２には、付勢部６４による付勢力と逆の方向（光ピックアップ２に押しつける方向）に力が加わることになる。
【００２１】
一方、図４に示すようにモータ５によりリードスクリュー４が時計回りに回転すると（矢印Ｙ４）、作用点Ｐ３に図における右下に向けて力Ｆ５が伝わるので、支点Ｐ４には、モーメントＭ４（図３参照：Ｍ４＝（Ｆ５の垂直方向の分力Ｆ６）×（作用点Ｐ３と支点Ｐ４との間隔Ｌ））がかかる。ここで、噛合部６２は、リードスクリュー４の中心軸と同一平面Ｈ上で支持されているので、力Ｆ５の大きさや、同一平面Ｈに対する角度（角度α）はリードスクリュー４が反時計回りに回転した場合の力Ｆ３の大きさや、同一平面Ｈに対する角度βと同じとなる。つまり、モーメントＭ４はモーメントＭ３と同じになる。このモーメントＭ４によって、噛合部６２は軸部６６を中心に、上部がリードスクリュー４に近づくように傾き、噛合部６２には、付勢部６４による付勢力と逆の方向に力が加わることになる。
【００２２】
なお、リードスクリュー４の回転方向が時計回り、反時計回りのいずれの場合においても、リードスクリュー４の回転による力が付勢部６４の付勢力よりも大きくなってしまうと、噛合部６２はリードスクリュー４から離れるようにスライドすることになり、結果としてリードスクリュー４の螺旋状溝３から外れ歯飛びする。
【００２３】
以上のように、本実施形態によれば、支持部６３がリードスクリュー４の中心軸と同一平面Ｈ上で噛合部６２を支持しているので、リードスクリュー４の回転方向が異なったとしても、回転による力は均一に噛合部６２に作用することになる。これにより、回転方向の違いにより、付勢部６４による付勢力が余分に加わることを抑制することができ、初期負荷を均一化して通常動作の円滑化を実現することが可能となる。
【００２４】
また、支持部６３が噛合部６２を回動自在に支持しているので、リードスクリュー４の回転方向に対応して噛合部６２が回動することになり、螺旋状溝３から外れることを防止することができる。したがって、付勢部６４の付勢力をより小さく設定することが可能となり、初期負荷の低減も可能となる。
【００２５】
なお、本発明は上記実施形態に限らず適宜変更可能であるのは勿論である。
例えば、上記実施形態では、噛合部６２が歯飛び可能である構成を例示したが、スレッド動作の高速化に伴い、噛合部６２を歯飛びさせないようにすることも望まれている。例えば、切欠６８のスライド範囲を螺旋状溝３の深さより狭く設定することや、噛合部６２が螺旋状溝３から外れることを防止する防止リブを設けることなどが挙げられる。
【００２６】
具体的に前者の場合、モータ５停止時における軸部６６の外形から切欠６８の基端部までの長さを螺旋状溝３の深さよりも狭く設定しておくことで、噛合部６２のスライド範囲が、螺旋状溝３の深さよりも狭くなり、歯飛びが防止されることになる。
【００２７】
後者の場合、例えば図５に示すように、防止リブ７０は延出板６７の内側面に取り付けられている。防止リブ７０は、リードスクリュー４の回転に基づく噛合部６２の回動を妨げず、当該回転により噛合部６２がスライドしたとしても螺旋状溝３から外れないように規制する範囲に取り付けられている。
【図面の簡単な説明】
【００２８】
【図１】本実施形態に係る光ピックアップ送り装置の概略構成を示す側面図である。
【図２】図１の光ピックアップ送り装置でリードスクリューが反時計回りに回転した状態を示す側面図である。
【図３】図２のリードスクリューの回転方向の違いにより加わる力を示す説明図である。
【図４】図１の光ピックアップ送り装置でリードスクリューが時計回りに回転した状態を示す側面図である。
【図５】本実施形態に係る光ピックアップ送り装置の変形例を示す側面図である。
【図６】従来の光ピックアップ送り装置の概略構成を示す側面図である。
【図７】図６の光ピックアップ送り装置のリードスクリューとラックの係合状態を示す斜視図である。
【図８】図７の係合状態を示す側面図である。
【符号の説明】
【００２９】
１      光ピックアップ送り装置
２      光ピックアップ
３      螺旋状溝
４      リードスクリュー
５      モータ
６      ラック
６１      取付部
６２      噛合部
６３      支持部
６４      付勢部
６５      歯部
６６      軸部
６７      延出板
６８      切欠
７０      防止リブ
Ｈ      同一平面
【図３】
2008310919.tif 000003
【図１】
2008310919.tif 000004
【図２】
2008310919.tif 000005
【図４】
2008310919.tif 000006
【図５】
2008310919.tif 000007
【図６】
2008310919.tif 000008
【図７】
2008310919.tif 000009
【図８】
2008310919.tif 000010